(57)【特許請求の範囲】
【請求項１】
保持台と柄とからなるコットンホルダーであって、
保持台は、化粧用コットンの把持布を挟持する基台と基台に廻動自在に支持された挟持部材とを具え、
基台は、中央部を平板部とし、両側部を隆起面部としていることを特徴とする化粧用コットンホルダー。
【請求項２】
挟持部材は、挟持板によって構成され、挟持板の後端部に設けた軸ピンが、基台に設けられ上端を軸受けとした鉤状保持片に支持され、挟持板の廻動時にその後端が基台に圧接され、スナップ動作可能とされていることを特徴とする請求項１記載の化粧用コットンホルダー。
【請求項３】
挟持部材と基台との間にばね部材が弾装され、挟持部材の押え部を基台に押圧するようにしたことを特徴とする請求項１記載の化粧用コットンホルダー。
【請求項４】
基台の下面が、中央が突出する湾曲面となっていることを特徴とする請求項１〜３のいずれかに記載の化粧用コットンホルダー。
【請求項５】
柄が、しなり部と把持部とを具えていることを特徴とする請求項１〜４のいずれかに記載の化粧用コットンホルダー。
【発明の詳細な説明】
【０００１】
【発明の属する技術分野】
本発明は、化粧用コットンホルダーに関する。
【０００２】
【発明が解決しようとする課題】
ウェブ状中綿をシルクライク素材の不織布で包み込み、不織布の折り返し部を把持布とした化粧用コットンは、従来より使用されている。
化粧用コットンの使用にあたっては、把持布と中綿の間に手指を差込み、塗布面に化粧液を付け、肌面を軽く叩いてパッティングしたり、なでつけたりして塗布していた。
また、スポンジパフに柄を組み付けた柄付化粧用パフも従来より使用されている。
柄付化粧用パフの使用にあたっては、パフ面に化粧液を付着させ、柄をもって肌面に化粧液を塗布していた。
【０００３】
しかしながら、化粧用コットンに手指を差込んだ時に、指の大きさに応じ把持布と中綿の間が拡げられ、塗布面が狭められるという問題があった。
また、差込んだ手指を拡げて、把持布を破損するということもあった。
さらにまた、化粧用コットン使用中に、不織布両側の接着面が肌に当たって違和感を与えるという問題があった。
【０００４】
手指に傷があるとき、化粧用コットンに付けた化粧液で手指の傷を傷めることもあって使用できないこともあった。
化粧用コットンの化粧液が手指に付着し、付着した化粧液、とくに香料などを落とすために手指をていねいに洗わなければならなかった。
また、柄付のスポンジパフを用いた場合は、使用中に手指に化粧液が触れることはないが、使用後に化粧液が付着したパフ部を洗浄する必要があった。
【０００５】
本発明は、上記の問題を解決し、化粧用コットンにコットンホルダーを差込み、化粧用コットンに付着した化粧液に触れずに化粧用コットンを使用、廃棄できるようにすることを課題とし、化粧用コットンのコットンホルダーへの取付け、取外しを簡単にできるようにしたコットンホルダーを提供すること、および化粧用コットンの接着部が肌面に触れないようにしたコットンホルダーを提供することを目的とする。
【０００６】
【課題を解決するための手段】
本発明は、上記の課題を解決するため、化粧用コットンホルダーとして、保持台と柄とからなるコットンホルダーであって、保持台は、化粧用コットンの把持布を挟持する基台と基台に廻動自在に支持された挟持部材とを具え、基台は、中央部を平板部とし、両側部を隆起面部としていることを特徴とする構成を採用する。
【０００７】
挟持部材の実施態様として、挟持部材は、挟持板によって構成され、挟持板の後端部に設けた軸ピンが、基台に設けられ上端を軸受けとした鉤状保持片に支持され、挟持板の廻動時にその後端が基台に圧接され、スナップ動作可能とされていることを特徴とする構成、或いは挟持部材と基台との間にばね部材が弾装され、挟持部材の押え部を基台に押圧するようにしたことを特徴とする構成を採用する。
【０００８】
基台の実施態様として、基台の下面が、中央が突出する湾曲面となっていることを特徴とする構成を採用し、柄の実施態様として、柄が、しなり部と把持部とを具えていることを特徴とする構成を採用する。
【０００９】
【発明の実施の形態】
次に、本発明の第１実施形態のコットンホルダーについて、図面を参照して説明する。
図１において、Ａはコットンホルダー、Ｂは化粧用コットンである。
コットンホルダーＡは、合成樹脂を素材として成形され、化粧用コットンＢを保持する保持台Ａ１と柄Ａ２とからなっている。
【００１０】
図２，３に示すように、保持台Ａ１は、基台１と該基台１に廻動可能に取着された挟持板２とからなっている。
基台１は、角形状に形成され、先端縁中央に円弧状の切欠部３を設け、後端中央に柄取付部４が設けられている。
基台１の中央部は平板部５となっており、両端部は平板部５より突出した隆起面部６ａ，６ｂとなっている。
隆起面部６ａ，６ｂの裏面は、凹面７となっており、多数の補強リブ８が設けられている。
【００１１】
図４に示すように、平板部５上面には、横方向に延びる複数の突条９が設けられており、後端部には、開孔１０が穿設され、開孔１０の後縁に沿って、上方を円弧状の軸受け１１とした鉤状保持片１２が立設されている。
【００１２】
挟持板２は、取付部１３と取付部１３に連設された楕円形の押え部１４とからなり、取付部１３には、後端に切欠けが設けられて二又１５が形成され、二又１５の間には、軸ピン１６が架設されている。
【００１３】
挟持板２にスナップ動作を付与するために、二又１５の後端１５ａは、上下端縁を円弧として軸ピン１６から後端１５ａまでの距離を軸ピン１６から基台１までの距離よりやや長くしている。
また、下端縁を円弧にしない場合には、後端１５ａの距離が軸ピン１６からわずかに離しただけでもよい。
【００１４】
押え部１４の上面は、基台１の隆起面部６ａ，６ｂと面一となっており、下面には、平板部５の突条９の間に位置する突条１７が設けられている。
【００１５】
図２に示すように、柄Ａ２は、保持台Ａ１の基台１の柄取付部４に連設され、しなり部２０と把持部２１とを具えている。
しなり部２０は、上面に巾方向に延びる凹溝２２を刻設した薄肉の板体２３によって形成されている。
把持部２１は、連杆２４を介してしなり部２０に連設され、その表面は、ゴムまたはその他の軟材質のカバーによって被覆されている。
【００１６】
図５に示すように、化粧用コットンＢは、公知のものと同様に、角形のウェブ状の中綿３０をシルクライク素材の不織布３１で包み込んだもので、不織布３１を折り返して中綿３０を挟み込み、再度折り返して中綿３０を包み込み、不織布３１を始端部分３１ａの上に重ね合わせ、中綿３０の両側で接着して接合部３２を形成している。
【００１７】
重ね合わせた表側の不織布３１によって把持布３３が形成され、その反対側の不織布３１は塗布面３１ｂとなっている。
把持布３３と中綿３０、不織布始端部分３１ａとの間に、コットンホルダーＡの袋状の差込み部３４が形成されている。
【００１８】
次に、本実施形態の化粧用コットンホルダーの使用態様と作用効果について説明する。
化粧用コットンホルダーは、コットンホルダーＡに化粧用コットンＢを装着することによって得られ、使用時には、装着した化粧用コットンＢの塗布面３１ｂに化粧液を滴下して付着させ、コットンホルダーＡの柄Ａ２を持って化粧液を肌面に塗布する。
【００１９】
化粧用コットンＢのコットンホルダーＡへの装着にあたっては、まず、図４（ｂ）に示すように、挟持板２の押え部１４先端を持って軸ピン１６を中心に廻動させ、基台１の後方まで反転させる。
その際、取付部１３の二又１５の後端縁１５ａは、挟持板２が基台１の上面に対して垂直近くに廻動されたときもっとも強く圧接され、さらに廻動したときに圧接が解かれることによって、挟持板２にスナップ動作が付与される。
【００２０】
次いで、基台１を化粧用コットンＢの差込み部３４の奥まで押込み、押え部１４を反転させると、図１に示すように、基台１と挟持板２の間で、化粧用コットンＢの把持布３３が挟持される。
その際、把持布３３は、基台１の隆起面部６ａ，６ｂによって屈曲され、把持布３３の両端の接合部３２を中側に引き寄せるように作用し、接合部３２を上方に持ち上げるよう保持する。
そして、基台１の突条９と挟持板２の突条１７によって、把持布３３のずれが阻止されるので、化粧コットンＢは保持台Ａ１から取り外れることはない。
【００２１】
化粧用コットンＢの肌面への塗布にあたっては、基台１によって化粧用コットンＢが広げられ、塗布面３１ｂを広く使うことができ、また、柄Ａ２のしなり部２０が上下方向に撓むので、化粧用コットンＢは、常に一定の押圧力を持って肌面に接触させることができる。
そのため、肌面を軽く叩くパッティング、なでつけによる化粧液の塗布をソフトに行うことができる。
【００２２】
化粧用コットンホルダーの使用後には、挟持板２の押え部１４を廻動反転させると、把持布３３の挟持が解かれ、化粧用コットンＢを簡単に取外すことができる。
【００２３】
次に、第２実施形態の化粧用コットンホルダーについて説明する。
図６，７において、Ａａはコットンホルダーであり、保持台Ａ１ａと柄Ａ２ａとからなっている。
保持台Ａ１ａは、基台４０と、基台４０に廻動自在に取着された挟持部材４１とを具えており、基台４０は、角形の主部４２と主部４２から後方に延びる中央部４３と側部４４ａ，４４ｂを有する後端部４５とからなっている。
【００２４】
図６〜８に示すように、後端部４５には、中央部４３の両側縁に沿って立設された壁面４６ａ，４６ｂを内側壁面とした挟持部材４１のための保持台４７ａ，４７ｂが立設されており、壁面４６ａ，４６ｂには、軸受け孔４８ａ，４８ｂが穿孔されている。
中央部４３の後端縁に沿って壁面４９が立設され、その上端から後方に延び保持台４７の頂面に連結された柄Ａ２ａの取付板５０が連設されている。
【００２５】
図６，８に示すように、挟持部材４１は、押え板５５と押え板５５に連設したレバー５６を具えており、押え板５５とレバー５６の中央部には、両者を連結する円筒部５７が設けられている。
押え板５５の下面には、複数の突条５８が突設されており、円筒部５７下面の上方部分には、挟持部材４１の押え板５５を基台４０に押圧するよう付勢するばね部材５９が連設されている。
ばね部材５９は、別体として中央部４３後端縁の壁面４９下端とレバー５６との間に弾装してもよく、また金属製のものであってもよい。
【００２６】
レバー５６は、基部６０と、基部６０より暫次狭めて小巾とし、凹部６１を設けた上部分６２とからなっており、レバー５６の基部６０は、保持台４７ａ，４７ｂの壁面４６ａと壁面４６ｂとの間の巾とほぼ同一としており、基部６０の両側には、壁面４６ａ，４６ｂの軸受け孔４８ａ，４８ｂに嵌挿される軸ピン６３が突設されている。
【００２７】
挟持部材４１の保持台４７ａ，４７ｂへの取付にあたって、レバー５６の基部６０を壁面４６ａ，４６ｂの間に押し込んでいくと、突出する軸ピン６３によって壁面４６ａ，４６ｂが変形して広げられるが、軸ピン６３が軸受け孔４８ａ，４８ｂに嵌挿されることによって壁面４６ａ，４６ｂが復元して、レバー５６の基部６０を挟持するようになっている。
【００２８】
柄部Ａ２ａは、保持台Ａ１ａの基台４０と一体成形され、取付板５０に連設されたしなり部７０と、連杆７１を介して連設された把持部７２とからなっている。
しなり部７０は、薄肉の板状体によって成形されており、把持部７２は、厚肉の板状体となっており、ゴムまたは軟材質で被覆するようにしてもよい。
【００２９】
つぎに、本実施形態のコットンホルダーの作用効果について説明する。
化粧用コットンＢのコットンホルダーＡａへの装着にあたっては、図９に示すように、レバー５６の凹部６１を押圧し、押え板５５をばねに抗して廻動させ、基台４０を化粧用コットンＢの差込み部３４に奥まで押込む。
【００３０】
次いで、レバー５６を手放すと、押え板５５がばね部材５９の復元力によって把持布３３を押さえる。
そして、押え板５５の裏面の突条５８が把持布３３を挟持し、化粧用コットンＢがずれ落ちるのを防ぐことができる。
したがって、化粧用コットンの装着、取外しがレバー操作によって極めて簡単に行えるようになっている。
【００３１】
次に、第３実施形態の化粧用コットンホルダーについて説明する。
図１０，１１において、Ａｂはコットンホルダーであり、保持台Ａ１ｂと柄Ａ２ｂとからなっている。
保持台Ａ１ｂは、基台８０と基台８０に廻動可能に取着された挟持板８１とからなっており、基台８０は、角部を円弧とした角形状に形成され、上部部材８２と、ヒンジを介して連結された下部部材８３とからなっている。
【００３２】
上部部材８２は、中央部に配設された厚肉の基板８４と、基板８４の両側から上方に延びる側壁８５ａ，８５ｂと、側壁８５ａ，８５ｂに連設され、円弧部と外側直線部で形成される頂壁８６ａ，８６ｂと、頂壁８６ａ，８６ｂの周縁から垂下された側周壁８７とからなる隆起面部８８と、図１２，１３に示すように、側周壁８７の後端部の下端縁に連設され、前端に直線部８９を有する弓形の裏板９０とを具えている。
頂壁８６ａ，８６ｂは、中央部が上方に隆起する共通の湾曲面で形成されている。
基板８４の上面には、横方向に延びる複数の突条９１が突設されており、基板８４の後端には、柄Ａ２ｂが連設されている。
【００３３】
基板８４の後端近くには、基板８４と裏板９０を通じて開孔９２が穿孔され、開孔９２の後端縁に沿って上端を円弧状に湾曲させて軸受け９３とした鉤状保持片９４が立設されている。
基板８４の先端には、薄肉部９５を介して連結板９６が連設されており、連結板９６の他端には、薄肉部９７を介して下部部材８３が連設されている。
薄肉部９５、連結板９６、薄肉部９７によって、ヒンジ９８が形成されている。
【００３４】
図１２，１３に示すように、下部部材８３は、中間部から後端までを中央部が隆起する湾曲面９９とし、後端から湾曲面９９にかけて徐々に隆起して接続する湾曲面１００とした角部を円弧とした角状の下壁面１０１、および下壁面１０１から上方に延びる側周壁１０２とからなっており、側周壁１０２の後端縁１０３は、裏板９０の直線部８９に圧接され、側周壁１０２の上端は、基板８４裏面に刻設された係合溝１０４に係合されるようになっている。
【００３５】
挟持板８１は、後端を二又１０５とした板体１０６と、板体１０６に段差をもって連設され、先端を摘み部１０７とした楕円形の押え板１０８とを具えており、二又１０５の間には、軸ピン１０９が架設されている。
【００３６】
挟持板８１にスナップ動作を付与するために、二又１０５の後端は、上下端縁を円弧として軸ピン１０９から後端までの距離を軸ピン１０９から基板８４までの距離よりやや長くしている。
また、下端縁を円弧にしない場合には、後端の距離が軸ピン１０９からわずかに離しただけでもよい。
【００３７】
押え板１０８の下面には、基板８４の突条９１と係合する複数の突条１１０が設けられている。
【００３８】
柄Ａ２ｂは、保持板Ａ１ｂの基板８４後端に連設された取付部１１５と連杆１１６、および把持部１１７とからなっている。
連杆１１６は、細い連杆で形成されて一定の可撓性を有しており、柄Ａ２ｂのしなり部となっている。
把持部１１７は、連杆１１６の端部から外方に広がり、端縁を円弧とした板状体であり、その表面には、すべり止めのためのドーム状突部１１８が設けられている。
【００３９】
次に、第３実施形態のコットンホルダーＡｂの使用態様と作用効果について説明する。
コットンホルダーＡｂの組立てにあたっては、下部部材８３を、ヒンジ９８を軸として廻動し、側周壁１０２の後端縁１０３の下端を基板８４の係合溝１０４に嵌着させ、後端縁１０３の壁面を裏板９０の端縁に圧接させることによって基台８０を形成し、次いで、挟持板８１を基板８４に重ね合わせ、軸ピン１０９が軸受け９３に支持されるまで押込むことによってコットンホルダーＡｂが組み立てられる。
【００４０】
化粧用コットンＢのコットンホルダーＡｂへの装着にあたっては、挟持板８１の摘み部１０７をもって軸ピン１０９を中心として挟持板８１を基板８４の上面に対して垂直近くにまで廻動させると、二又１０５の後端が基板８４にもっとも強く圧接され、さらに廻動させると圧接が解かれ、スナップ動作が付与される。
次いで、基台８０を化粧用コットンＢの差込み部３４に挿入して、挟持板８１を元に戻すと、挟持板８１と基台８０との間で化粧用コットンＢの把持布３３を挟持することができる。
【００４１】
その際、基板８４の突条９１と挟持板８１の突条１１０が噛み合うことによって、把持布３３のずれ落ちが阻止され、化粧用コットンＢは保持台Ａ１ｂから取り外れることはない。
そして、把持布３３は、図１４に示すように、基台８０の隆起面部８８によって屈曲され、両側の接合部３２は中側に引き寄せられ、さらに、基台８０の下部部材８３によって中綿３０が湾曲されるので、化粧用コットンＢの接合部３２は、基台８０の上部部材８２の上面近くまで引き上げられる。
【００４２】
化粧液の肌面への塗布にあたって、コットンＢの塗布面３１ｂは広げられ、湾曲されているので、肌面に平滑に接触させることができ、接合部３２は肌面に触れないので、違和感を与えることはない。
また、柄Ａ２ｂのしなり部は、可撓性を有しているので、常に一定の押圧力をもって肌面に接触させることができ、そのため、肌面を軽く叩くパッティング、なでつけによる化粧液の塗布をソフトに行うことができる。
【００４３】
化粧用コットンＢの使用後には、挟持板８１の摘み部１０７をもって垂直位置まで廻動させると、把持布３３の挟持が解かれ、簡単に取外すことができる。
【００４４】
【発明の効果】
本発明は、上記のように構成されているから、次の効果を奏する。
化粧用コットンにコットンホルダーを差込み、柄を握って塗布できるようにしたから、手指が化粧用コットンに付着した化粧液に触れずに使用できる。
また、化粧用コットンの着脱を容易にしたから、使用後に化粧用コットンに付着した化粧液に触れることなく化粧用コットンを廃棄できる。
【００４５】
挟持板を廻動自在に基台に取付け、挟持板を簡単に開閉できるようにしたので、化粧用コットンの装着、取外しが極めて簡単にできるようになった。
【００４６】
基台の両側に隆起面部を形成させることによって、化粧用コットンの接合部を基台の上方に位置させることができるようになり、さらに、基台の下面を湾曲面としたときには、中綿、塗布面を湾曲させ、化粧用コットンの接合部を基台の上面に位置させることができる。
そのことによって、化粧用コットンを肌面に平滑に接触させるとともに、接合部が触れることによる違和感をなくすことができた。
【００４７】
柄部にしなり部を設けたときには、化粧用コットンが肌面に一定の接触圧をもって、ソフトに接触させることができる。
そのため、軽く叩くパッティング、なでつけによる化粧液の塗布がソフトに行うことができ、なでつけ時には、肌面をマッサージすることもできる。
【図面の簡単な説明】
【図１】本発明第１実施形態の化粧用コットンを装着したコットンホルダーの斜視図である。
【図２】コットンホルダーの斜視図である。
【図３】コットンホルダーの保持台裏面の斜視図である。
【図４】保持台の説明図で、（ａ）は断面図、（ｂ）は挟持板開放時の説明図である。
【図５】化粧用コットンの説明図で、（ａ）は斜視図、（ｂ）は縦断面図である。
【図６】第２実施形態のコットンホルダーの斜視図である。
【図７】  保持台裏面の斜視図である。
【図８】保持台の説明図で、（ａ）は断面図、（ｂ）は挟持板開放時の断面図である。
【図９】  化粧用コットン装着時の説明図である。
【図１０】第３実施形態のコットンホルダーの正面図である。
【図１１】コットンホルダーの一部断面側面図である。
【図１２】コットンホルダーの端面図である。
【図１３】コットンホルダーの底面図である。
【図１４】  化粧用コットンの装着時の説明図である。
【符号の説明】
Ａ、Ａａ、Ａｂ        コットンホルダー
Ａ１、Ａ１ａ、Ａ１ｂ  保持台
Ａ２、Ａ２ａ、Ａ２ｂ  柄
Ｂ                    化粧用コットン
１、４０、８０        基台
２、８１              挟持板
３                    切欠部
４                    柄取付部
５                    平板部
６ａ，ｂ、８８        隆起面部
１０、９２            開孔
１１、９３            軸受け
１２  ９４            鉤状保持片
１３                  取付部
１４                  押え部
１５、１０５          二又
１６、６３、１０９    軸ピン
２０、７０            しなり部
２１、７２、１１７    把持部
２２                  凹溝
２３、１０６          板体
２４、７１、１１６    連杆
３０                  中綿
３１                  不織布
３１ａ                始端部分
３１ｂ                塗布面
３２                  接合部
３３                  把持布
３４                  差込み部
８４                  基板
４１                  挟持部材
４２                  主部
４３                  中央部
４５                  後端部
４６ａ，ｂ、４９      壁面
４７ａ，ｂ            保持台
４８ａ，ｂ            軸受け孔
５０                  取付板
５５、１０８          押え板
５６                  レバー
５９                  ばね部材
６０                  基部
８２                  上部部材
８３                  下部部材
８９                  直線部
９０                  裏板
９９、１００          湾曲面
１０１                下壁面
１０７                摘み部
１１５                取付部
１１８                ドーム状突部
【図１】
0004094338.tif 000002
【図２】
0004094338.tif 000003
【図３】
0004094338.tif 000004
【図４】
0004094338.tif 000005
【図５】
0004094338.tif 000006
【図６】
0004094338.tif 000007
【図７】
0004094338.tif 000008
【図８】
0004094338.tif 000009
【図９】
0004094338.tif 000010
【図１０】
0004094338.tif 000011
【図１１】
0004094338.tif 000012
【図１２】
0004094338.tif 000013
【図１３】
0004094338.tif 000014
【図１４】
0004094338.tif 000015